(57)【要約】  送信機は、車両に設けられた複数の車輪のそれぞれに装着され、受信機に送信データを送信する。送信機は、複数種類のプロトコルが記憶された不揮発性メモリと、不揮発性メモリに記憶された複数種類のプロトコルから選択されたプロトコルであって、受信機に対応したプロトコルを示す情報である選択情報が記憶された揮発性メモリと、プロトコルに従った送信データを送信する送信部と、を備える。送信部は、揮発性メモリに選択情報が記憶されている場合、当該選択情報で示されるプロトコルに従った送信データを送信し、揮発性メモリに選択情報が記憶されていない場合、不揮発性メモリに記憶された全てのプロトコルに従った送信データを送信する。
2020121476.tif 000002
【特許請求の範囲】
【請求項１】
車両に設けられた複数の車輪のそれぞれに装着され、受信機に送信データを送信する送信機であって、
前記送信機は、
複数種類のプロトコルが記憶された不揮発性メモリと、
前記不揮発性メモリに記憶された前記複数種類のプロトコルから選択されたプロトコルであって、前記受信機に対応したプロトコルを示す情報である選択情報が記憶された揮発性メモリと、
プロトコルに従った送信データを送信する送信部と、を備え、
前記送信部は、
前記揮発性メモリに前記選択情報が記憶されている場合、当該選択情報で示されるプロトコルに従った前記送信データを送信し、
前記揮発性メモリに前記選択情報が記憶されていない場合、前記不揮発性メモリに記憶された全てのプロトコルに従った前記送信データを送信する送信機。
【請求項２】
前記複数種類のプロトコルのそれぞれに対応して符号が付与されており、
前記選択情報は、前記複数種類のプロトコルから選択されたプロトコルに対応する符号である請求項１に記載の送信機。
【請求項３】
前記送信部は、前記不揮発性メモリに記憶された全てのプロトコルに従った前記送信データを送信する場合、前記揮発性メモリに選択情報が記憶されていないことを示す情報を含んだ前記送信データを送信する請求項１又は請求項２に記載の送信機。
【発明の詳細な説明】
【技術分野】
【０００１】
本発明は、送信機に関する。
【背景技術】
【０００２】
特許文献１に記載のタイヤ状態監視装置は、車輪に装着された送信機と、受信機とを備える。送信機は、タイヤの圧力を検出する圧力センサと、送信部と、送信機を制御する制御部とを備える。送信部は、圧力センサによって検出された検出結果を含んだ送信データを送信する。受信機によってプロトコルが異なるため、車輪には、受信機のプロトコルに対応する機種の送信機が選ばれて、装着される。
【先行技術文献】
【特許文献】
【０００３】
【特許文献１】特開２０１４−９１３４４号公報
【発明の概要】
【発明が解決しようとする課題】
【０００４】
ところで、送信機として、複数種類のプロトコルの中からいずれかのプロトコルを選択可能に構成されているものがある。この種の送信機では、不揮発性メモリに複数種類のプロトコルが記憶され、揮発性メモリに選択情報が記憶される。選択情報とは、複数種類のプロトコルから選択した１つのプロトコルを示す情報である。制御部は、選択情報で示されるプロトコルに従った送信データを送信する。受信機に対応するプロトコルを選択することで、送信機を複数種類の受信機に対応させることができる。【０００５】
しかしながら、この種の送信機では、複数種類のプロトコルから任意のプロトコルを選択するために、選択情報を揮発性メモリに記憶し、選択情報を書き換え可能にしている。揮発性メモリに記憶された選択情報が意図せず消去された場合、受信機に対応するプロトコルで送信データの送信を行うことができず、受信機に送信データを受信させることができないおそれがある。【０００６】
本発明の目的は、揮発性メモリに記憶された選択情報が消去された場合であっても、受信機に送信データを受信させることができる送信機を提供することにある。
【課題を解決するための手段】
【０００７】
上記課題を解決するため、本発明の第一の態様によれば、車両に設けられた複数の車輪のそれぞれに装着され、受信機に送信データを送信する送信機が提供される。前記送信機は、複数種類のプロトコルが記憶された不揮発性メモリと、前記不揮発性メモリに記憶された前記複数種類のプロトコルから選択されたプロトコルであって、前記受信機に対応したプロトコルを示す情報である選択情報が記憶された揮発性メモリと、プロトコルに従った送信データを送信する送信部と、を備える。前記送信部は、前記揮発性メモリに前記選択情報が記憶されている場合、当該選択情報で示されるプロトコルに従った前記送信データを送信し、前記揮発性メモリに前記選択情報が記憶されていない場合、前記不揮発性メモリに記憶された全てのプロトコルに従った前記送信データを送信する。【０００８】
揮発性メモリに記憶された選択情報が消去され、揮発性メモリに選択情報が記憶されていない状態になると、不揮発性メモリに記憶された全てのプロトコルに従った送信データが送信される。全てのプロトコルのうちいずれかのプロトコルは、受信機に対応したプロトコルである。従って、揮発性メモリに記憶された選択情報が消去された場合であっても、受信機に送信データを受信させることができる。【０００９】
上記送信機について、前記複数種類のプロトコルのそれぞれに対応して符号が付与されており、前記選択情報は、前記複数種類のプロトコルから選択されたプロトコルに対応する符号であってもよい。【００１０】
これによれば、選択情報として、プロトコル自体を記憶する場合に比べて、選択情報を記憶するのに要する記憶容量を少なくすることができる。
上記送信機について、前記送信部は、前記不揮発性メモリに記憶された全てのプロトコルに従った前記送信データを送信する場合、前記揮発性メモリに選択情報が記憶されていないことを示す情報を含んだ前記送信データを送信してもよい。【００１１】
これによれば、揮発性メモリに選択情報が記憶されていないことを受信機に認識させることができる。
【発明の効果】
【００１２】
本発明によれば、揮発性メモリに記憶された選択情報が消去された場合であっても、受信機に送信データを受信させることができる。
【図面の簡単な説明】
【００１３】
【図１】タイヤ状態監視装置の概略構成図。
【図２】送信機の概略構成図。
【図３】不揮発性メモリに記憶されたプロトコルと揮発性メモリに記憶された選択情報を示す図。
【図４】フレームフォーマットの一例を示す図。
【図５】制御部が行う処理を示すフローチャート。
【図６】１回の送信タイミングで全てのプロトコルに従った送信データを送信する場合のタイムチャート。
【図７】送信タイミング毎に別々のプロトコルに従った送信データを送信する場合のタイムチャート。
【発明を実施するための形態】
【００１４】
以下、送信機の一実施形態について説明する。
図１に示すように、タイヤ状態監視装置２０は、車両１０の４つの車輪１１にそれぞれ装着される送信機２１と、車両１０に設置される受信機４０とを備える。各車輪１１は、ホイール１２と、ホイール１２に装着されたタイヤ１３とを備える。送信機２１としては、タイヤバルブに固定された送信機や、ホイール１２やタイヤ１３に固定された送信機が用いられる。
【００１５】
送信機２１は、タイヤ１３の内部空間に配置されるように、車輪１１に取り付けられている。送信機２１は、対応するタイヤ１３の状態、例えば、タイヤ１３の空気圧やタイヤ１３内の温度を検出して、検出結果を含む送信データを受信機４０に無線送信する。タイヤ状態監視装置２０は、送信機２１から送信される送信データを受信機４０で受信して、タイヤ１３の状態を監視する。
【００１６】
図２に示すように、送信機２１は、圧力センサ２２、温度センサ２３、制御部２５、送信回路２６、送信アンテナ２８、受信回路２７、受信アンテナ２９及びバッテリ３０を備える。バッテリ３０は、送信機２１の電力源となる。
【００１７】
圧力センサ２２は、対応するタイヤ１３の圧力（空気圧）を検出する。圧力センサ２２は、検出結果を制御部２５に出力する。温度センサ２３は、対応するタイヤ１３内の温度を検出する。温度センサ２３は、検出結果を制御部２５に出力する。
【００１８】
制御部２５は、ＣＰＵ２５ａ及び記憶部２４を含むマイクロコンピュータ等よりなる。記憶部２４は、不揮発性メモリ２５ｂと、揮発性メモリ２５ｃと、を備える。不揮発性メモリ２５ｂには、各送信機２１の固有の識別情報であるＩＤコードや、送信機２１を制御するための種々のプログラムが記憶されている。
【００１９】
制御部２５は、各種処理のうち少なくとも一部の処理を実行する専用のハードウェア（特定用途向け集積回路：ＡＳＩＣ）を備えてもよい。すなわち、制御部２５は、１）コンピュータプログラム（ソフトウェア）に従って動作する１つ以上のプロセッサ、２）ＡＳＩＣ等の１つ以上の専用のハードウェア回路、或いは３）それらの組み合わせを含む回路（circuitry）として構成し得る。プロセッサは、ＣＰＵ、並びに、ＲＡＭ及びＲＯＭ等のメモリを含む。メモリは、処理をＣＰＵに実行させるように構成されたプログラムコードまたは指令を格納している。メモリすなわちコンピュータ可読媒体は、汎用または専用のコンピュータでアクセスできるあらゆる利用可能な媒体を含む。
【００２０】
図３に示すように、不揮発性メモリ２５ｂの所定の記憶エリアには、複数種類のプロトコルが記憶されている。即ち、不揮発性メモリ２５ｂには、複数のプロコトルに対応したフレームフォーマット及びプロシージャに関する情報が記憶されている。図３では、一例として、プロトコルＡ、プロトコルＢ、プロトコルＣの３つのプロトコルが記憶されている例を示しているが、不揮発性メモリ２５ｂに記憶されるプロトコルの数は、送信機２１が使用され得る車両の種類などによって異なる。
【００２１】
図４には、プロトコルＡによって規定されたフレームフォーマットの一例を示す。フレームフォーマットとは、受信機４０に送る送信データのフォーマットであり、送信データを構成する各ビットがどのような情報を示しているかの形式といえる。
【００２２】
フレームフォーマットには、同期ビット、識別情報、ステータス、フラグ、圧力データ、温度データ、及び、誤り訂正符号が含まれる。同期ビットは、送受信の同期を図るためのデータである。識別情報は、ＩＤコードを示すデータである。ステータスは、送信機２１の状態を示すデータである。圧力データは、圧力センサ２２から取得した検出結果（＝圧力値）を示すデータである。温度データは、温度センサ２３から取得した検出結果（＝温度）を示すデータである。誤り訂正符号は、誤り訂正符号や、誤り検出符号を示すデータである。フラグは、送信機２１に異常が生じているか否かを示すデータである。例えば、フラグは、送信機２１に異常が生じていない場合には０、送信機２１に異常が生じている場合には１になる１ビットのデータである。
【００２３】
本実施形態において、プロトコルＢ，Ｃで規定されたフレームフォーマットは、プロトコルＡと同様に、同期ビット、識別情報、ステータス、フラグ、圧力データ、温度データ、及び、誤り訂正符号を含むとする。プロトコルＡ，Ｂ，Ｃのフレームフォーマットでは、例えば、フラグ、圧力データ、温度データの順序が異なる。即ち、送信データのうちのいずれのビットがフラグ、圧力データ、温度データを示しているかが異なる。
【００２４】
図３に示すように、揮発性メモリ２５ｃの所定の記憶エリアには、複数種類のプロトコルから選択されたプロトコルを示す情報である選択情報が記憶されている。本実施形態では、プロトコルＡ，Ｂ，Ｃのそれぞれに２進数のデータ列で表現された符号を付与し、選択されたプロトコルに対応する符号が揮発性メモリ２５ｃに記憶されている。図３に示す例では、プロトコルＡに０１、プロトコルＢに１０、プロトコルＣに１１が対応付けられている。図３に示す例では、揮発性メモリ２５ｃには、プロトコルＢに対応する１０が記憶されている。従って、プロトコルＡ，Ｂ，ＣのうちプロトコルＢが選択されていることがわかる。なお、本実施形態では、選択情報が記憶されていない場合の所定の記憶エリアの値は００である。
【００２５】
揮発性メモリ２５ｃに記憶されたプロトコル、即ち、複数種類のプロトコルから選択された１つのプロトコルは、受信機４０のプロトコルに対応して設定されている。プロトコルが異なると、フレームフォーマットやプロシージャが異なり、受信機４０のプロトコルに対応する送信データでなければ、送信データを受信機４０に受信させることができない。なお、受信機４０は、車種によって異なっており、車種によってフレームフォーマットが異なっているともいえる。選択情報は、トリガ装置などの外部機器によって揮発性メモリ２５ｃに書き込まれる。
【００２６】
制御部２５は、プロトコルに従って送信データを生成し、送信回路２６に出力する。送信部としての送信回路２６は、制御部２５からの送信データを変調して無線信号（ＲＦ信号）を生成し、送信アンテナ２８から送信する。例えば、制御部２５は、圧力センサ２２の検出結果及び温度センサ２３の検出結果であるタイヤ状態（タイヤ空気圧やタイヤ内温度）やＩＤコードを含む送信データを生成し、この送信データを含む信号である無線信号を送信する。
【００２７】
制御部２５は、圧力センサ２２や温度センサ２３の故障などを診断する診断機能を備える。診断機能によって圧力センサ２２や温度センサ２３が故障していると判断されると、制御部２５は、フラグを立てる＝フラグを１にした送信データを生成する。これにより、送信データには、圧力センサ２２や温度センサ２３の異常を受信機４０に認識させるためのデータが含まれることになる。圧力センサ２２や温度センサ２３の故障診断は、例えば、圧力センサ２２や温度センサ２３の検出結果を用いて行われる。圧力センサ２２や温度センサ２３の検出結果は、制御部２５に設けられたＡＤコンバータを用いてアナログ信号をデジタル信号に変換することで得られる。この際、ＡＤコンバータでオーバーフローやアンダーフローが生じた場合、制御部２５は圧力センサ２２や温度センサ２３が故障していると判断する。また、制御部２５は、圧力センサ２２や温度センサ２３の断線や、短絡を検出することもできる。
【００２８】
受信回路２７は、受信アンテナ２９を介してトリガ装置などの外部機器から送信される信号を受信する。この信号には、送信機２１に対する指令が含まれており、制御部２５は指令に応じた処理を実行する。これにより、揮発性メモリ２５ｃへの選択情報の書き込み等を行うことができる。
【００２９】
次に、制御部２５が送信データを送信する際に行う処理について説明する。制御部２５は、受信機４０に向けて定期的に送信データを送信する。
図５に示すように、ステップＳ１において、制御部２５は、圧力センサ２２及び温度センサ２３から検出結果を取得する。
【００３０】
次に、ステップＳ２において、制御部２５は、揮発性メモリ２５ｃに選択情報が記憶されているか否かを判定する。揮発性メモリ２５ｃに選択情報が記憶されていない場合、制御部２５のリセット、強電界などの外来ノイズ、あるいは、ソフトウェアの不具合により揮発性メモリ２５ｃに記憶された選択情報が消去されたと考えられる。制御部２５のリセットは、例えば、ウォッチドッグタイマによる不具合の検出時、制御部２５の温度が過剰に上昇した場合、揮発性メモリ２５ｃに記憶されたデータに誤りが生じた場合、バッテリ３０の電圧が著しく低下した場合に行われる。揮発性メモリ２５ｃの選択情報が消去された場合、選択情報が記憶される記憶エリアは初期化され、プロトコルが未選択の状態になる。従って、制御部２５は、リセットが行われたことを検出したり、揮発性メモリ２５ｃに選択情報が記憶されているか否かを確認することで揮発性メモリ２５ｃに選択情報が記憶されているか否かの判定を行うことができる。
【００３１】
ステップＳ２の処理が肯定の場合、制御部２５はステップＳ３の処理を行う。ステップＳ２の処理が否定の場合、制御部２５はステップＳ４の処理を行う。
制御部２５は、ステップＳ３において、揮発性メモリ２５ｃに記憶された選択情報によって示されるプロトコルに従ったフレームフォーマットで送信データの生成を行い、送信データの送信を行う。即ち、揮発性メモリ２５ｃに選択情報が記憶されている場合、当該選択情報に基づき選択されたプロトコルに従った送信データが送信されることになる。本実施形態では、選択情報として、プロトコルに対応した符号を記憶しているため、制御部２５は、揮発性メモリ２５ｃに記憶された符号に対応するプロトコルを不揮発性メモリ２５ｂから読み取り、送信データの生成を行う。選択情報に基づき選択されたプロトコルは、受信機４０に対応したものであるため、受信機４０に送信データを受信させることができる。
【００３２】
制御部２５は、ステップＳ４において、不揮発性メモリ２５ｂに記憶された全てのプロトコルに従ったフレームフォーマットで送信データの生成を行い、送信データの送信を行う。即ち、揮発性メモリ２５ｃに選択情報が記憶されていない場合、不揮発性メモリ２５ｂに記憶された全てのプロトコルに従った送信データが送信されることになる。制御部２５は、データを生成する際に、フラグを立てた即ちフラグを１にした送信データを生成する。フラグが１であることは、揮発性メモリ２５ｃに選択情報が記憶されていないことを示す情報といえる。
【００３３】
図６に示すように、全てのプロトコルに従った送信データの送信が行われる場合、１回の送信タイミングで全てのプロトコルに従って送信データの送信を行ってもよい。この場合、各プロトコルに従った個別の送信データを生成し、定期的に各プロトコルに従った送信データの送信が行われるため、不揮発性メモリ２５ｂに記憶されたプロトコルの数と同数の送信データが１回の送信タイミングで送信されることになる。
【００３４】
図７に示すように、全てのプロトコルに従った送信データの送信が行われる場合、送信タイミング毎に、別々のプロトコルに従った送信データの送信を行うようにしてもよい。この場合、定期的に送信データを送信する毎に、別々のプロトコルに従った送信データを生成し、送信データの送信が行われる。これにより、各プロトコルに従った送信データが順番に送信されていくことになる。本実施形態の場合、例えば、プロトコルＡに従った送信データの送信→プロトコルＢに従った送信データの送信→プロトコルＣに従った送信データの送信の順に、定期的に送信データの送信を行えばよい。
【００３５】
図１に示すように、受信機４０は、受信機用制御部４１と、受信機用受信回路４２と、受信アンテナ４３とを備える。受信機用制御部４１には、警報器４４が接続されている。受信機用制御部４１は、受信機用ＣＰＵ４１ａ及び受信機用記憶部４１ｂ（ＲＯＭやＲＡＭ等）を含むマイクロコンピュータ等よりなる。受信機用受信回路４２は、各送信機２１から受信アンテナ４３を介して受信された送信データを復調して、受信機用制御部４１に出力する。
【００３６】
受信機用記憶部４１ｂには、各車輪１１に装着された送信機２１のＩＤコードが記憶されている。これにより、送信機２１と受信機４０とが対応付けられている。受信機用制御部４１は、受信機用受信回路４２によって受信された送信データに含まれるＩＤコードと、受信機用記憶部４１ｂに記憶されたＩＤコードとを照合する。照合の結果、送信データに含まれるＩＤコードと登録されたＩＤコードとが一致すると、受信機用制御部４１は、送信データに含まれるデータを採用する。受信機用制御部４１は、受信機４０に対応付けられた送信機２１より送信された送信データに含まれるデータから、タイヤ１３の状態を把握する。受信機用制御部４１は、タイヤ１３の圧力が閾値を下回っている場合や、受信した送信データに含まれるフラグにより送信機２１に異常が生じていると認識した場合には警報器（報知器）４４にて報知を行う。警報器４４としては、例えば、光の点灯や点滅によって報知を行う装置や、音によって報知を行う装置が用いられる。また、受信機用制御部４１は、車両１０の搭乗者が視認可能な表示器に、タイヤ１３の状態を表示してもよい。なお、警報器４４としては、タイヤ１３に異常が生じた場合に報知を行うものと、送信機２１に異常が生じた場合に報知を行うものを別々に設けてもよい。また、１つの警報器４４でタイヤ１３に異常が生じた場合の報知と、送信機２１に異常が生じた場合の報知とを行ってもよい。
【００３７】
本実施形態の作用について説明する。
揮発性メモリ２５ｃに選択情報が記憶されている場合、送信機２１は受信機４０に対応するプロトコルに従って送信データの送信を行う。これにより、受信機４０に送信データを受信させることができる。
【００３８】
揮発性メモリ２５ｃに記憶された選択情報が消去されると、揮発性メモリ２５ｃに選択情報が記憶されていない状態になる。すると、送信機２１は不揮発性メモリ２５ｂに記憶された全てのプロトコルに従って送信データの送信を行う。送信機２１としては、不揮発性メモリ２５ｂに記憶された複数種類のプロトコルのいずれかが受信機４０に対応するものが選定されて車輪１１に装着されている。全てのプロトコルのうちいずれかのプロトコルは、受信機４０に対応したプロトコルといえる。従って、全てのプロトコルに従って送信データの送信を行うと、いずれかの送信データは受信機４０に受信可能な送信データとなる。
【００３９】
仮に、揮発性メモリ２５ｃから選択情報が消去された場合に、受信機４０で送信データを受信できなくなると、タイヤ１３の圧力が過剰に低下した場合など、タイヤ１３に異常が生じた場合であっても、その旨の報知を行うことができない。これに対し、本実施形態の送信機２１では、揮発性メモリ２５ｃから選択情報が消去された場合でも受信機４０に送信データを受信させることができるため、揮発性メモリ２５ｃから選択情報が消去された後にタイヤ１３に異常が生じた場合であっても、その旨の報知を行うことができる。
【００４０】
揮発性メモリ２５ｃに選択情報が記憶されていない場合、送信データのフラグにより受信機４０に送信機２１の異常を認識させることができる。受信機４０は、フラグが１である送信データを受信すると、警報器４４による警報を行う。
【００４１】
本実施形態の効果について説明する。
（１）揮発性メモリ２５ｃに選択情報が記憶されていない場合、制御部２５は、不揮発性メモリ２５ｂに記憶された全てのプロトコルに従って送信データを送信する。揮発性メモリ２５ｃに記憶された選択情報が消去された場合であっても、受信機４０に送信データを受信させることができる。
【００４２】
（２）選択情報として、選択されたプロトコルに対応する符号を揮発性メモリ２５ｃに記憶している。プロトコル自体を揮発性メモリ２５ｃに記憶する場合に比べて、選択情報を記憶するのに要する記憶容量を少なくすることができる。
【００４３】
（３）選択情報が揮発性メモリ２５ｃに記憶されていない場合、制御部２５は、揮発性メモリ２５ｃに選択情報が記憶されていないことを示す情報を含んだ送信データを生成する。従って、揮発性メモリ２５ｃに選択情報が記憶されていないことを受信機４０に認識させることができる。本実施形態では、受信機４０は、揮発性メモリ２５ｃに選択情報が記憶されていない場合、警報器４４による報知を行う。このため、搭乗者に対して送信機２１に異常が生じたことの報知を行える。
【００４４】
（４）圧力センサ２２や温度センサ２３などの異常時に用いられるフラグを選択情報が記憶されていないことを示すフラグとして兼用している。従って、既存のフレームフォーマットに、圧力センサ２２や温度センサ２３などの異常時に用いられるフラグが存在している場合、フレームフォーマットを変更することなく、選択情報が記憶されていないことの報知を行うことができる。
【００４５】
（５）受信機４０で送信データを受信できなくなることを抑止するため、不揮発性メモリ２５ｂに記憶された全てのプロトコルに従った送信データを常時送信することも考えられる。この場合、消費電力が大きく、バッテリ３０の寿命が短くなる。これに対し、本実施形態の送信機２１のように、揮発性メモリ２５ｃから選択情報が消去された場合にのみ全てのプロトコルに従った送信データを送信することで、消費電力を小さくすることができる。従って、全てのプロトコルに従った送信データを常時送信する場合に比べて、バッテリ３０の寿命が短くなることを抑制できる。
【００４６】
（６）ＥＥＰＲＯＭやフラッシュメモリなどの書き換え可能な不揮発性メモリに選択情報を記憶する場合、送信機２１の製造後に選択情報の書き込みをするのが困難である。これに対して、揮発性メモリ２５ｃを用いることで、トリガ装置などの外部機器による選択情報の書き込みが容易である。
【００４７】
また、一般に、複数種類のプロトコルから１つのプロトコルを選択する送信機２１では、選択情報が揮発性メモリ２５ｃに記憶される場合が多い。従って、ＥＥＰＲＯＭやフラッシュメモリなどの書き換え可能な不揮発性メモリに選択情報を記憶する場合に比べて、ハードウェアの変更を行わなくてもよく、製造コストの増加を抑制できる。
【００４８】
なお、実施形態は、以下のように変更してもよい。
・制御部２５は、揮発性メモリ２５ｃに選択情報が記憶されていない場合に、揮発性メモリ２５ｃに選択情報が記憶されていないことを示す情報を含んだ送信データを送信しなくてもよい。
【００４９】
・選択情報としては、複数種類のプロトコルに対応付けられた符号に代えて、プロトコル自体のデータを揮発性メモリ２５ｃに格納するようにしてもよい。この場合、制御部２５は、揮発性メモリ２５ｃに記憶されているプロトコルを読み込み、送信データの生成を行う。
【００５０】
・全てのプロトコルに従った送信データの送信が行われる場合、制御部２５は、複数回に分けて送信データの送信を行ってもよい。例えば、プロトコルとして、８種類のプロトコルＡ，Ｂ，Ｃ，Ｄ，Ｅ，Ｆ，Ｇ，Ｈが不揮発性メモリ２５ｂに記憶されているとする。
【００５１】
揮発性メモリ２５ｃに選択情報が記憶されていない場合、１回の送信タイミングで４つのプロトコルに従った送信データの送信を行い、次に残りの４つのプロトコルに従った送信データの送信を行ってもよい。制御部２５は、これを繰り返し行うことで全てのプロトコルに従った送信データの送信を行ってもよい。
【００５２】
複数のプロトコルで、送信データが送信される頻度を異ならせてもよい。例えば、１回の送信タイミングで４つのプロトコルに従った送信データを送信する場合、４つのプロトコルのうち２つのプロトコルについては固定のプロトコルとし、残りの２つのプロトコルを送信タイミング毎に変更してもよい。例えば、プロトコルＡ，Ｂ，Ｃ，Ｄ→プロトコルＡ，Ｂ，Ｅ，Ｆ→プロトコルＡ，Ｂ，Ｇ，Ｈの順で送信データを送信してもよい。プロトコルＡ，Ｂとしては、流通数の多い受信機４０に合わせたプロトコルを選択する。
【００５３】
複数回に分けて送信データの送信を行う場合、送信タイミング毎に、プロトコルの種類や、プロトコルの数を変更してもよい。例えば、３つのプロトコルに従った送信データの送信を行った次の送信タイミングで、４つのプロトコルに従った送信データの送信を行ってもよい。
【００５４】
１回の送信タイミングで複数種類のプロトコルに従った送信データを送信する場合、プロトコルがランダムに選択されるようにしてもよい。
また、全てのプロトコルを複数回に分けて送信しない場合であっても、プロトコルの頻度、１回の送信タイミングで送信されるプロトコルの種類などを適宜変更してもよい。
【００５５】
・送信データが送信される送信タイミング同士の間隔は、一定でなくてもよい。この場合、送信タイミング同士の間隔は、ランダムに定められてもよい。
・選択情報が記憶されていない場合の揮発性メモリ２５ｃの値は、００以外であってもよい。即ち、選択情報が記憶されていない場合の揮発性メモリ２５ｃの値は、制御部２５のリセットが生じたときに記憶されている値であればどのような値であってもよい。
【００５６】
・揮発性メモリ２５ｃに記憶されているデータは、複数の記憶エリアに同じデータが記憶されていてもよい。そのように構成すると、該当する複数の記憶エリアのデータを参照し、データが異なっていた場合に、意図せずにデータ化けが発生したものとして、ただちにリセットを行う、あるいは、多数決により正しいデータを判定することが可能になる。
【００５７】
・制御部２５は、選択情報が記憶されている場合には選択情報で指定されたプロトコル、選択情報が記憶されていない場合には全てのプロトコルに従った送信データを送信することができれば、どのような手順で処理を行ってもよい。
【００５８】
・送信機２１は、タイヤ１３の状態のうちの１つを検出できるものであればよい。例えば、タイヤ１３の圧力及びタイヤ１３の温度のうちいずれかを検出できるものであればよい。また、送信機２１によって検出が行われるタイヤ１３の状態としては、圧力や温度以外であってもよい。この場合、検出を行いたい状態に合わせたセンサを送信機２１に設ければよい。
【００５９】
・送信データは、揮発性メモリ２５ｃに選択情報が記憶されていない旨を受信機４０に認識させるための専用のフラグを含んでいてもよい。即ち、圧力センサ２２や温度センサ２３の異常を受信機４０に認識させるためのデータと、揮発性メモリ２５ｃに選択情報が記憶されていない旨を受信機４０に認識させるためのデータは異なっていてもよい。
【００６０】
・各プロトコルで、送信データの送信間隔、圧力データや温度データの分解能、フレームフォーマットに含まれるデータの種類などが異なっていてもよい。
・車両は、二輪車や、５つ以上の車輪１１を備える車両であってもよい。
【００６１】
・受信機４０は、車両１０の搭乗者が所持する携帯端末であってもよい。
【符号の説明】
【００６２】
１０…車両、１１…車輪、１３…タイヤ、２１…送信機、２５ｂ…不揮発性メモリ、２５ｃ…揮発性メモリ、２６…送信回路（送信部）、４０…受信機。
【図１】
2020121476.tif 000003
【図２】
2020121476.tif 000004
【図３】
2020121476.tif 000005
【図４】
2020121476.tif 000006
【図５】
2020121476.tif 000007
【図６】
2020121476.tif 000008
【図７】
2020121476.tif 000009
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
車両に設けられた複数の車輪のそれぞれに装着され、受信機に送信データを送信する送信機であって、
前記送信機は、
複数種類のプロトコルが記憶された不揮発性メモリと、
前記不揮発性メモリに記憶された前記複数種類のプロトコルから選択されたプロトコルであって、前記受信機に対応したプロトコルを示す情報である選択情報が記憶された揮発性メモリと、
プロトコルに従った送信データを送信する送信部と、を備え、
前記送信部は、
前記揮発性メモリに前記選択情報が記憶されている場合、当該選択情報で示されるプロトコルに従った前記送信データを送信し、
前記揮発性メモリに前記選択情報が記憶されていない場合、前記不揮発性メモリに記憶された全てのプロトコルに従った前記送信データを送信し、
前記送信部は、前記不揮発性メモリに記憶された全てのプロトコルに従った前記送信データを送信する場合、前記揮発性メモリに選択情報が記憶されていないことを示す情報を含んだ前記送信データを送信する送信機。
【請求項２】
前記複数種類のプロトコルのそれぞれに対応して符号が付与されており、
前記選択情報は、前記複数種類のプロトコルから選択されたプロトコルに対応する符号である請求項１に記載の送信機。
【国際調査報告】
2020121476.tif 000010
2020121476.tif 000011
2020121476.tif 000012
2020121476.tif 000013